(57)【要約】      （修正有）【課題】ローミング無線装置とネットワークアクセスゲートウェイ間のデータ通信方法を提供する。【解決手段】無線装置１０１とゲートウェイ１０３間の通信データは、第１の内部ヘッダと第２の外部ヘッダとを含むパケットの形式で編成される。無線装置１０１は、外部ヘッダのフィールドと内部ヘッダのフィールドとからの少なくとも１つの予測可能フィールドをゲートウェイ１０３へ送信し３１０、外部ヘッダの少なくとも１つの予測可能フィールドをゲートウェイ１０３から受信し４１０、データパケットの外部ヘッダおよび内部ヘッダの削除し３０２、内部ヘッダのフィールドからの少なくとも１つの予測不能フィールドを含むネットワーク層より低いレベルのヘッダをデータパケット内に生成し３０３、生成したデータパケットをゲートウェイへ１０３送信する３０４。【選択図】図３
2016100894.tif 000002
【特許請求の範囲】
【請求項１】
ローミング搬送体（Ｐ）に埋め込まれる無線通信装置（１０１）とネットワーク（Ｒ）へ接続されるゲートウェイ（１０３）との間のデータ通信方法であって、
前記データは、前記搬送体上（Ｐ）に埋め込まれたローカルエリアネットワーク（１０２）に属するローカル通信装置と前記ネットワーク（Ｒ）へ接続された遠隔通信装置（１０８）との間のネットワークリンクに対応する内部ヘッダと呼ばれる少なくとも１つの第１のネットワークヘッダと、前記無線通信装置（１０１）と前記ゲートウェイ（１０３）へ接続されるホームエージェント（１０６）との間のネットワークリンクに対応する外部ヘッダと呼ばれる第２のネットワークヘッダとを含むパケットの形式で編成され、前記方法は、
前記外部ヘッダのフィールドと前記内部ヘッダのフィールドとからの少なくとも１つの予測可能フィールドの前記無線通信装置による前記ゲートウェイへの送信または前記ゲートウェイによる前記無線通信装置からの受信工程（３１０）と、
前記外部ヘッダの少なくとも１つの予測可能フィールドの前記無線通信装置による前記ゲートウェイからの受信または前記ゲートウェイによる前記無線通信装置への送信工程（４１０）とを含む初期情報交換段階と、
前記少なくとも１つのデータパケットの前記外部ヘッダおよび前記内部ヘッダの削除工程（３０２）と、
前記内部ヘッダの前記フィールドからの少なくとも１つの予測不能フィールドを含む、ネットワーク層より低いレベルのヘッダを前記少なくとも１つのデータパケット内に生成する工程（３０３）と、
前記少なくとも１つのデータパケットの送信工程（３０４）とを含む少なくとも１つのデータパケットの送信の段階とを少なくとも含むことを特徴とする、方法。
【請求項２】
ローミング搬送体（Ｐ）に埋め込まれる無線通信装置（１０１）とネットワーク（Ｒ）へ接続されるゲートウェイ（１０３）との間のデータ通信方法であって、
前記データは、前記搬送体上（Ｐ）に埋め込まれたローカルエリアネットワーク（１０２）に属するローカル通信装置と前記ネットワーク（Ｒ）へ接続された遠隔通信装置（１０８）との間のネットワークリンクに対応する内部ヘッダと呼ばれる少なくとも１つの第１のネットワークヘッダと、前記無線通信装置（１０１）と前記ゲートウェイ（１０３）へ接続されるホームエージェント（１０６）との間のネットワークリンクに対応する外部ヘッダと呼ばれる第２のネットワークヘッダと含むパケットの形式で編成され、前記方法は、
前記外部ヘッダのフィールドと前記内部ヘッダのフィールドとからの少なくとも１つの予測可能フィールドの前記無線通信装置による前記ゲートウェイへの送信または前記ゲートウェイによる前記無線通信装置からの受信工程（３１０）と、
前記外部ヘッダの少なくとも１つの予測可能フィールドの前記無線通信装置による前記ゲートウェイからの受信または前記ゲートウェイによる前記無線通信装置への送信工程（４１０）と含む初期情報交換段階と、
ネットワーク層より低いレベルのヘッダを含む少なくとも１つのデータパケットの受信工程（３０４）と、
前記初期段階中に送信された少なくとも１つの予測可能フィールドと前記データパケットのネットワーク層より低いレベルのヘッダに含まれる少なくとも１つの予測不能フィールドとから少なくとも内部ネットワークヘッダを前記データパケット内に再構築する工程（４０４）であって、前記内部ネットワークヘッダは前記搬送体上に埋め込まれるローカルエリアネットワークに属するローカル通信装置と前記ネットワークへ接続される遠隔通信装置との間のネットワークリンクに対応する、工程と、
前記初期段階中に送信された少なくとも１つの予測可能フィールドから少なくとも外部ネットワークヘッダを前記データパケット内に再構築する工程（４０３）であって、前記外部ネットワークヘッダは前記無線通信装置とゲートウェイへ接続されたホームエージェントとの間のネットワークリンクに対応する、工程と、
前記データパケット内のネットワーク層より低いレベルの前記ヘッダの削除工程（４０２）と
を含むデータ受信段階とを少なくとも含むことを特徴とする、方法。
【請求項３】
前記内部ヘッダの前記予測可能フィールドは前記無線通信装置の恒久的ネットワークアドレスの少なくともプレフィックスを含む、請求項１または２のいずれか一項に記載のデータ通信方法。
【請求項４】
前記内部ヘッダの前記予測不能フィールドは前記ネットワークへ接続される前記遠隔通信装置の前記ネットワークアドレスを少なくとも含む、請求項１〜３のいずれか一項に記載のデータ通信方法。
【請求項５】
前記内部ヘッダの前記予測不能フィールドは前記無線通信装置の前記恒久的ネットワークアドレスのサフィックスを含む、請求項４に記載のデータ通信方法。
【請求項６】
前記外部ヘッダの前記予測可能フィールドは、前記ゲートウェイにより割り振られた前記無線通信装置の仮ネットワークアドレスの少なくとも一部分と前記ホームエージェントのネットワークアドレスとを含む、請求項１〜５のいずれか一項に記載のデータ通信方法。
【請求項７】
−  前記無線通信装置の前記仮ネットワークアドレスは、前記ゲートウェイにより割り振られたプレフィックスと前記無線通信装置に特有な識別子から生成されたサフィックスとから構成され、
−  前記初期情報交換段階は、
前記識別子の前記無線通信装置による前記ゲートウェイへの送信または前記ゲートウェイによる前記無線通信装置からの受信工程と、
前記ゲートウェイにより割り振られた前記プレフィックスの前記無線通信装置による前記ゲートウェイからの受信または前記ゲートウェイによる前記無線通信装置への送信工程とを含む、請求項５に記載のデータ通信方法。
【請求項８】
プロセッサにより実行されると請求項１〜７のいずれか一項に記載のデータ送信方法および／またはデータ受信方法を実行するための命令を含むコンピュータプログラム。
【請求項９】
少なくともネットワーク層とリンク層とを含む階層モデルに基づくネットワークアーキテクチャを観測するのに好適な通信手段を含むローミング搬送体（Ｐ）に埋め込まれる無線通信装置（１０１）であって、前記通信手段は請求項１〜７のいずれか一項に記載のデータ通信方法を実行するように構成される、無線通信装置（１０１）。
【請求項１０】
ネットワーク（Ｒ）のホームエージェント（１０６）を介し前記ネットワーク（Ｒ）へ接続されるネットワークゲートウェイ（１０３）であり、少なくとも１つのネットワーク層とリンク層とを含む階層モデルに基づくネットワークアーキテクチャを観測するのに好適な通信手段を含むネットワークゲートウェイ（１０３）であって、前記通信手段は請求項１〜７のいずれか一項に記載のデータ通信方法を実行するように構成される、ネットワークゲートウェイ（１０３）。
【発明の詳細な説明】
【技術分野】
【０００１】
本発明は、通信ネットワークと通信するためにローミング移動搬送体が必要とされる通信システムの分野に関する。ローミング搬送体に埋め込まれる通信システムは、搬送体の位置に依存して様々なネットワークアクセスゲートウェイを介しネットワークへ接続するために必要とされる。本発明はしたがって、移動度がネットワークレベルで管理される通信ネットワークに関する。本発明は最後に、移動搬送体とネットワークアクセスゲートウェイ間の無線リンク上の帯域幅の使用を最適化する分野に関する。
【０００２】
本発明はより具体的には、ローミング無線装置とネットワークアクセスゲートウェイ間の通信方法であって当該通信リンク上で消費されるスペクトル資源の最適化を可能にする通信方法に関する。
【背景技術】
【０００３】
図１は、移動搬送体Ｐ（例えば、航空機）が固定インフラストラクチャＲのネットワークと通信する通信システムの例を表す。このようなシステムは、例えば国際民間航空機構（ＩＣＡＯ：Ｉｎｔｅｒｎａｔｉｏｎａｌ  Ｃｉｖｉｌ  Ａｖｉａｔｉｏｎ  Ｏｒｇａｎｉｚａｔｉｏｎ）により規定されたＡＴＮ（航空通信ネットワーク：Ａｅｒｏｎａｕｔｉｃａｌ  Ｔｅｌｅｃｏｍｍｕｎｉｃａｔｉｏｎ  Ｎｅｔｗｏｒｋ）規格を遂行するようにされる。
【０００４】
移動搬送体Ｐは、機上ローカルエリアネットワーク１０２へ接続されることを可能にする少なくとも１つの機上埋め込み無線通信装置１０１を含む。
【０００５】
移動搬送体Ｐはアクセスゲートウェイ１０３、１０４、１０５を通じて固定インフラストラクチャネットワークＲへ接続する。このゲートウェイは、無線通信技術により空中通信装置１０１との無線リンク（例えば、衛星通信リンク）を設定する。移動搬送体Ｐは、その無線範囲内に存在するアクセスゲートウェイ１０３、１０４、１０５と接続する。したがって、ネットワークＲへのアクセスは様々なアクセスゲートウェイ１０３、１０４、１０５を介しなされ得る。各アクセスゲートウェイは、ネットワークＲのエンティティでありその役割がアクセスゲートウェイを介しネットワークへ接続することを望む装置の移動度を管理することであるホームエージェント１０６、１０７へ接続される。各無線通信装置１０１はホームエージェント１０６、１０７に関連付けられる。ホームエージェント１０６は、アクセスゲートウェイ１０３へリンクされている間にアクセスゲートウェイとは異なる装置内で実施され得る、またはアクセスゲートウェイ１０３と同じ装置内で実施され得る。同一のホームエージェント１０６が複数のアクセスゲートウェイ１０３、１０４、１０５へリンクされ得る。
【０００６】
図１の例では、埋め込み装置１０１とネットワークＲへ接続された遠隔端末１０８との間の通信リンクが一例として考察される。移動搬送体Ｐは、第１のゲートウェイ１０５の無線範囲内の第１のゾーンから第２のゲートウェイ１０３の無線範囲内の第２のゾーンへ移動する。
【０００７】
移動搬送体Ｐの位置にかかわらず埋め込み装置１０１と遠隔端末１０８間の通信を設定および維持するために、２つのネットワークリンクが設定される。
【０００８】
第１のネットワークリンクは埋め込み装置１０１と遠隔端末１０８間に設定される。同リンクは、埋め込み装置１０１の恒久的ネットワークアドレスと遠隔端末１０８の恒久的ネットワークアドレスから設定される。
【０００９】
搬送体Ｐの移動度を管理するために、アクセスゲートウェイと同じネットワークに属する埋め込み装置１０１の仮ネットワークアドレスと移動度管理に責任を負うホームエージェント１０６のネットワークアドレスとの間に第２のネットワークリンクがトンネルモードで設定される。仮ネットワークアドレスはネットワークアクセスゲートウェイにより割り振られる。
【００１０】
この移動度管理メカニズムは、搬送体Ｐがその移動中にアクセスゲートウェイを変更する場合の複雑なルーティングメカニズムの実施を回避できるようにする。
【００１１】
しかし、同じポイントツーポイント通信のための２つのネットワークリンクの使用（トンネルを介するものを含む）は欠点を生ずる。送信データパケットは、特にＩＰｖ６プロトコルを使用するネットワークでは、かなりのサイズの２つのネットワークヘッダを含む。ＩＰｖ６ヘッダは４０オクテットのサイズを有する。特に航空通信リンクの場合、移動搬送体Ｐとネットワークアクセスゲートウェイ間の無線リンクはしばしば、利用可能帯域幅が狭いリンクである。通信リンクを設定するために２つのＩＰｖ６ヘッダを使用することは、各送信パケット内への２つのネットワークヘッダの導入が、送信される有用データに利用可能な帯域幅をそれに応じて低減するので、無線通信路上で利用可能な資源の非最適使用につながる。
【００１２】
ＩＰネットワークプロトコルに基づく送信の場合の無線資源を最適化できるようにする１つの知られた解決策は、基準ＲＦＣ３０９５の元にＩＥＴＦ機関により標準化されたＲｏＨＣ（頑強ヘッダ圧縮：Ｒｏｂｕｓｔ  Ｈｅａｄｅｒ  Ｃｏｍｐｒｅｓｓｉｏｎ）メカニズムなどのネットワークヘッダ圧縮メカニズムを使用することにある。
【００１３】
このメカニズムはネットワークヘッダのサイズを低減できるようにするが、他の欠点を提示する。このメカニズムは、交換セッション毎にホストの予備接続の初期段階を必要とし、実施するのが複雑である。さらに、このメカニズムはまた、ヘッダの圧縮解除を正しく作動させることができるように、各ホストにより保存されたコンテキスト間で同期が維持されることを必要とし、したがっていかなる非同期現象にも敏感である。
【発明の概要】
【課題を解決するための手段】
【００１４】
本発明は、移動搬送体に埋め込まれた無線装置と固定ネットワークへのアクセスゲートウェイとの間の送信方法であって利用可能帯域幅資源を最適化できるようにする送信方法を提案する。
【００１５】
本発明により提案される解決策は、ネットワークヘッダの予測可能フィールドの送信を削除することと、削除されたヘッダを再構築すること、削除されたヘッダを受信することにある。
【００１６】
本発明の主題は、ローミング搬送体に埋め込まれる無線通信装置とネットワークへ接続されるゲートウェイとの間のデータ通信方法であり、データは、上記搬送体上に埋め込まれたローカルエリアネットワークに属するローカル通信装置と上記ネットワークへ接続された遠隔通信装置との間のネットワークリンクに対応する内部ヘッダと呼ばれる少なくとも１つの第１のネットワークヘッダと、上記無線通信装置とゲートウェイへ接続されたホームエージェントとの間のネットワークリンクに対応する外部ヘッダと呼ばれる第２のネットワークヘッダとを含むパケットの形式で編成される。上記方法は、
外部ヘッダのフィールドと内部ヘッダのフィールドとからの少なくとも１つの予測可能フィールドの無線通信装置によるゲートウェイへの送信またはゲートウェイによる無線通信装置からの受信工程と、
外部ヘッダの少なくとも１つの予測可能フィールドの無線通信装置によるゲートウェイからの受信またはゲートウェイによる無線通信装置への送信工程とを含む初期情報交換段階と、
少なくとも１つのデータパケットの外部ヘッダおよび内部ヘッダの削除工程と、
内部ヘッダのフィールドからの少なくとも１つの予測不能フィールドを含むネットワーク層より低いレベルのヘッダを少なくとも１つのデータパケット内に生成する工程と、
上記少なくとも１つのデータパケットの送信工程とを含む少なくとも１つのデータパケットの送信段階とを少なくとも含むことを特徴とする。
【００１７】
本発明の別の主題は、ローミング搬送体に埋め込まれる無線通信装置とネットワークへ接続されるゲートウェイとの間のデータ通信方法であり、データは、上記搬送体上に埋め込まれたローカルエリアネットワークに属するローカル通信装置と上記ネットワークへ接続された遠隔通信装置との間のネットワークリンクに対応する内部ヘッダと呼ばれる少なくとも１つの第１のネットワークヘッダと、上記無線通信装置とゲートウェイへ接続されたホームエージェントとの間のネットワークリンクに対応する外部ヘッダと呼ばれる第２のネットワークヘッダとを含むパケットの形式で編成される。上記方法は、
外部ヘッダのフィールドと内部ヘッダのフィールドとからの少なくとも１つの予測可能フィールドの無線通信装置によるゲートウェイへの送信またはゲートウェイによる無線通信装置からの受信工程と、
外部ヘッダの少なくとも１つの予測可能フィールドの無線通信装置によるゲートウェイからの受信またはゲートウェイによる無線通信装置への送信工程とを含む初期情報交換段階と、
ネットワーク層より低いレベルのヘッダを含む少なくとも１つのデータパケットの受信工程と、
初期段階中に送信された少なくとも１つの予測可能フィールドとデータパケットのネットワーク層より低いレベルのヘッダに含まれた少なくとも１つの予測不能フィールドとから少なくとも内部ネットワークヘッダを上記データパケット内に再構築する工程であって、上記内部ネットワークヘッダは上記搬送体上に埋め込まれたローカルエリアネットワークに属するローカル通信装置と上記ネットワークへ接続された遠隔通信装置との間のネットワークリンクに対応する、工程と、
初期段階中に送信された少なくとも１つの予測可能フィールドから少なくとも外部ネットワークヘッダをデータパケット内に再構築する工程であって、上記外部ネットワークヘッダは上記無線通信装置とゲートウェイへ接続されたホームエージェントとの間のネットワークリンクに対応する、工程と、
上記データパケット内のネットワーク層より低いレベルのヘッダの削除工程とを含むデータ受信段階とを少なくとも含むことを特徴とする。
【００１８】
本発明の特定の態様によると、内部ヘッダの予測可能フィールドは無線通信装置の恒久的ネットワークアドレスの少なくともプレフィックスを含む。
【００１９】
本発明の特定の態様によると、内部ヘッダの予測不能フィールドは、上記ネットワークへ接続される遠隔通信装置のネットワークアドレスを少なくとも含む。
【００２０】
本発明の特定の態様によると、内部ヘッダの予測不能フィールドは無線通信装置の恒久的ネットワークアドレスのサフィックスを含む。
【００２１】
本発明の特定の態様によると、外部ヘッダの予測可能フィールドは、ゲートウェイにより割り振られた無線通信装置の仮ネットワークアドレスの少なくとも一部分とホームエージェントのネットワークアドレスとを含む。
【００２２】
本発明の特定の態様によると、無線通信装置の仮ネットワークアドレスは、ゲートウェイにより割り振られたプレフィックスと無線通信装置に特有な識別子から生成されたサフィックスとから構成される。初期情報交換段階は、
上記識別子の無線通信装置によるゲートウェイへの送信またはゲートウェイによる無線通信装置からの受信工程と、
ゲートウェイにより割り振られたプレフィックスの無線通信装置によるゲートウェイからの受信またはゲートウェイによる無線通信装置への送信工程とを含む。
【００２３】
本発明のさらに別の主題は、コンピュータプログラムであってプロセッサにより実行されると本発明によるデータ送信方法および／またはデータ受信方法を実行するための命令を含むコンピュータプログラムである。
【００２４】
本発明のさらに別の主題は、少なくともネットワーク層とリンク層とを含む階層モデルに基づくネットワークアーキテクチャを観測するのに好適な通信手段を含むローミング搬送体に埋め込まれる無線通信装置であって、通信手段は本発明によるデータ通信方法を実行するように構成される。
【００２５】
本発明のさらに別の主題は、ネットワークのホームエージェントを介しネットワークへ接続されるネットワークゲートウェイであって、少なくともネットワーク層とリンク層とを含む階層モデルに基づくネットワークアーキテクチャを観測するのに好適な通信手段を含むネットワークゲートウェイであり、通信手段は本発明によるデータ通信方法を実行するように構成される。
【００２６】
本発明の他の特徴と利点は添付図面と関連する以下の説明を読むことでより明らかになる。
【図面の簡単な説明】
【００２７】
【図１】移動搬送体が固定インフラストラクチャネットワークへ接続し得る通信ネットワークのブロック図である。
【図２】図１のネットワーク内の通信リンクのプロトコル実施形態を示す図である。
【図３】本発明によるデータ送信方法を示す流れ図である。
【発明を実施するための形態】
【００２８】
図２は、埋め込み通信装置１０１とネットワークＲへ接続された遠隔端末１０８との間の送信の際に実施されるメカニズムを概略的に示す。
【００２９】
ネットワークＲは、少なくとも４層：すなわちアプリケーション層ＡＰとネットワーク層ＩＰとデータリンク層ＬＤと物理層ＰＨＹとを含むタイプのモデルに基づくプロトコルアーキテクチャを使用する。プロトコルアーキテクチャモデルは特には、７つの層を含むＯＳＩ（開放型システム間相互接続：Ｏｐｅｎ  Ｓｙｓｔｅｍｓ  Ｉｎｔｅｒｃｏｎｎｅｃｔｉｏｎ）モデルにより示唆されたものである。
【００３０】
図２は、埋め込み装置１０１により開始される遠隔端末１０８に向けた送信を示す。遠隔端末１０８から埋め込み装置１０１への通信に適用される送信メカニズムも同様である。
【００３１】
データパケットＰ１０が、埋め込み装置１０１のまたは移動搬送体Ｐに埋め込まれたローカルエリアネットワークへ接続された装置のアプリケーション層において生成される。生成されたパケットＰ１０は、ＩＰネットワーク層へ送信され、ネットワークパケット内で連続２回カプセル化される。この目的を達成するために、送信元無線装置１０１の恒久的ネットワークアドレスと送信先遠隔端末１０８の恒久的ネットワークアドレスとを特に含む第１の内部ネットワークヘッダが追加される。無線装置１０１とホームエージェント１０６間にトンネルモードのネットワークリンクを設定するために第２のネットワークヘッダも追加される。第２の外部ネットワークヘッダは、ゲートウェイ１０３により割り振られた無線装置１０１の仮ネットワークアドレスとホームエージェント１０６の恒久的ネットワークアドレスとを含む。内部ネットワークヘッダと外部ネットワークヘッダは例えばＩＰｖ６ヘッダである。
【００３２】
正しく構築されたネットワークパケットＰ１１がデータリンク層へ送信され、データリンク層はまた新しいパケットＰ１２を生成するために特定のヘッダを追加し、新しいパケットＰ１２は物理層へ送信され、次に無線チャネルによりゲートウェイ１０３へ送信される。
【００３３】
ゲートウェイ１０３は受信パケットＰ３２をＩＰネットワーク層のレベルへ逆カプセル化する。このレベルで、ゲートウェイ１０３はネットワークパケットＰ６１をホームエージェント１０６へ送信し、ホームエージェント１０６は外部ネットワークヘッダを削除して、ネットワークパケットＰ６０を送信先端末１０８へ伝達し、送信先端末１０８はアプリケーションパケットＰ８０を復元する。
【００３４】
無線装置１０１とホームエージェント１０８間の第２のＩＰトンネルの使用により搬送体Ｐの移動度の管理を可能にし、搬送体Ｐは様々なネットワークアクセスゲートウェイと接続し得る。ホームエージェント１０６は搬送体Ｐ毎に一意的であり、これにより搬送体Ｐの位置にかかわらずパケットの送信先へのルーティングを効果的に管理できるようにする。
【００３５】
序文で示したように、各パケットへの２つのネットワークヘッダの追加は、搬送体Ｐとゲートウェイ１０３間の無線リンクの帯域幅の過剰消費を生じ、有用データに割り振られるビットレートを損ねる。
【００３６】
本発明は、この問題を解決するメカニズムを提案する。
【００３７】
図３は本発明によるデータ送信方法を示す。
【００３８】
本方法は、埋め込み無線装置１０１とゲートウェイ１０３間の第１の初期情報交換段階に続いて第２のデータ送信段階を含む。
【００３９】
第１の情報交換段階は、搬送体Ｐが自身に最も近くかつ無線範囲内に存在するゲートウェイ１０３をネットワークＲ上に登録したい場合に発生する。
【００４０】
無線装置１０１は、送信されるパケットの２つのネットワークヘッダ内の、無線装置１０１または搬送体Ｐに埋め込まれたローカルエリアネットワークからのまたはそれへの任意の送信時に予測可能なフィールドを最初に識別する。「予測可能フィールド」は本明細書では、通信が無線装置１０１からであるかまたは無線装置１０１へであるかにかかわらずその値が固定または一定であるヘッダフィールドを意味するものと理解すべきである。
【００４１】
内部ネットワークヘッダ内では、予測可能フィールドは、そのサフィックスが、恒久的ネットワークアドレスを搬送体Ｐに埋め込まれたローカルエリアネットワーク内で接続された様々な装置へ割り振るために使用される場合、無線装置１０１の恒久的アドレスフィールドまたはこの恒久的アドレスのプレフィックスである。遠隔端末１０８のアドレスは、端末と通信することを要請され得る無線装置１０１の先験的知識が無いので、通常は予測不能である。遠隔端末１０８のアドレスはまた、搬送体Ｐが同一の遠隔端末と系統的に通信する特定の場合には予測され得る。
【００４２】
外部ネットワークヘッダ内で、予測可能フィールドはホームエージェント１０６のアドレスフィールドである。実際には、各ローミング搬送体ＰとネットワークＲ内のこの搬送体の移動度を管理する責任を負うホームエージェントとの間には一意的ペアリングが存在する。
【００４３】
外部ネットワークヘッダにも含まれる無線装置１０１の仮ネットワークアドレスは、アクセスゲートウェイ１０３により割り振られ、したがってまた予測可能である。これは無線装置１０１にかかわるすべての通信がこの仮アドレスを使用するためである。
【００４４】
本発明の特定の実施形態では、仮ネットワークアドレスのプレフィックスだけがアクセスゲートウェイにより割り振られる。仮ネットワークアドレスのサフィックスは、プレフィックスからおよび無線装置１０１に特有の識別子（例えば、ＥＵＩ−６４タイプの識別子）から判断される。アクセスゲートウェイはサフィックスを無線装置へ送信し、無線装置は次に、識別子から仮ネットワークアドレスのすべてを生成し得る。
【００４５】
要約すると、本発明による方法の初期交換段階では、無線装置１０１は、２つのネットワークヘッダ内で自身が知っている予測可能フィールドを識別し（３０１）、次にそれをゲートウェイ１０３へ送信する。同様に、ゲートウェイ１０３は自身が知っている予測可能フィールドを識別し（４０１）、それを無線装置１０１へ送信する。
【００４６】
初期段階が完了すると、無線リンクに直接関与する２つのエンティティ１０１，１０３はそれぞれ、２つのネットワークヘッダの予測可能フィールドのローカルコピーを有する。
【００４７】
第２のデータ送信段階では、ネットワーク層からのデータパケットＰ１１はデータリンク層ＬＤのレベルでインターセプトされる。２つのネットワークヘッダは削除される（３０２）。リンクヘッダがパケットへ追加される（３０３）。リンクヘッダは、２つのネットワークヘッダの予測不能フィールドを含む。例えば、リンクヘッダは遠隔端末１０８の送信先アドレスを含む。リンクヘッダはまた、次の場合に無線装置１０１の恒久的ネットワークアドレスのサフィックスを含み得る：すなわち、このサフィックスが多くの恒久的アドレスを搬送体Ｐ上の装置群へ割り振るために使用される場合、換言すれば搬送体に搭載された多くの装置が、搬送体のゲートウェイへの登録時に割り振られたプレフィックス内でアドレス指定可能である場合。
【００４８】
本発明により生成されたリンクヘッダを含むパケットは、次に物理層へ送信され（３０４）、次に無線チャネルによりゲートウェイ１０３へ送信される。
【００４９】
パケットが受信されると、以下の処理作業がデータリンク層ＬＤのレベルでゲートウェイにより行われる。内部ネットワークヘッダは、リンクヘッダに含まれる予測不能フィールドからおよび初期段階中に交換された予測可能フィールドから再構築される（４０４）。外部ネットワークヘッダは、初期段階中に交換された予測可能フィールドから再構築される（４０３）。次に、リンクヘッダは削除される（４０２）。
【００５０】
通信が埋め込み装置１０１により遠隔端末１０８に対して開始される非限定的例における本発明による送信メカニズムが図２において説明された。しかし、送信はまた逆方向に行われ得る。後者の場合、無線装置１０１とゲートウェイ１０３とによりそれぞれ行われる処理作業は逆転される。
【００５１】
本発明の範囲から逸脱すること無く、本発明による送信方法はまた、物理層のレベルで、またはネットワーク層より低いレベルに位置する任意のアブストラクション層のレベルで実施され得る。
【００５２】
本発明は、ＩＰｖ６プロトコルに関連付けられた場合に有利に適用される。これは、この場合、本発明が、ＩＰｖ６ヘッダの削除により節約された伝送資源の著しい増加を可能にするためである。しかし、本発明はまた、ＩＰｖ４プロトコルと、ネットワーク内のホストの一意的アドレシングを可能にする任意のネットワークプロトコルとへ適用される。
【００５３】
ネットワークヘッダの再構築段階中、送信元アドレスと送信先アドレス以外のヘッダフィールドは、リンクヘッダに含まれるフィールドから、またはデフォルト値から、または初期交換段階中に交換された値からも再構築され得る。
【００５４】
本発明による方法はハードウェアおよび／またはソフトウェア要素で実施され得る。本発明による方法は特に、その実行のための命令を含むコンピュータプログラムとして実施され得る。コンピュータプログラムはプロセッサ可読記憶媒体上に格納され得る。媒体は電子的、磁気的、光学的、または電磁気的であり得る。
【００５５】
特に、本発明はプロセッサとメモリとを含むデバイスにより実施され得る。プロセッサは、一般的なプロセッサ、特定のプロセッサ、特定用途向け集積回路（また頭文字ＡＳＩＣにより知られる）またはフィールドプログラマブルゲートアレイ（また頭文字ＦＰＧＡにより知られる）であり得る。
【００５６】
本デバイスは１つまたは複数の専用電子回路または汎用回路を使用し得る。本発明の技術は、一連の命令を含むプログラムを実行する再プログラム可能計算機（例えば、プロセッサまたはマイクロコントローラ）上、または専用計算機（例えば、ＦＰＧＡまたはＡＳＩＣなどの一組の論理ゲート、または任意の他のハードウェアモジュール）上で実施され得る。
【００５７】
一実施形態によると、本デバイスは、プロセッサまたは多くのプロセッサ上で実行されると先に説明した本発明の実施形態の機能を行うコンピュータプログラム（すなわち多数の実行可能命令）によりコード化された少なくとも１つのコンピュータ可読記憶媒体（ＲＡＭ、ＲＯＭ、ＥＥＰＲＯＭ、フラッシュメモリまたは他のメモリ技術、ＣＤ−ＲＯＭ、ＤＶＤまたは別の光ディスク媒体、磁気カセット、磁気テープ、磁気記憶ディスクまたは他の記憶装置、または別の非一時的コンピュータ可読記憶媒体）を含む。
【００５８】
本発明は、ローミング搬送体に埋め込まれた無線通信装置１０１においておよびネットワークアクセスゲートウェイ１０３において実施され得る。本発明は、データリンク層のレベルでまたはネットワーク層より低いレベルに位置する任意のアブストラクション層のレベルで実施される。
【００５９】
本発明を実施するようにされたハードウェアアーキテクチャの例を与えると、本発明によるデバイスは、本発明の実施に必要なプログラムを含み得る中央処理装置またはマイクロプロセッサ（ＣＰＵ）、読み取り専用メモリ（ＲＯＭ）がリンクされる通信バスと、上記プログラムの実行中に生成および修正される変数およびパラメータを格納するようにされたレジスタを含むランダムアクセスメモリまたはキャッシュメモリ（ＲＡＭ）と、データを送信および受信するようにされた通信インターフェースまたはＩ／Ｏ（入力／出力）とを含み得る。
【００６０】
実行されると先に説明した機能のうちの任意の１つを行うコンピュータプログラムへの参照は、単一ホストコンピュータ上で実行するアプリケーションプログラムに限定されない。逆に、用語「コンピュータプログラム」と「ソフトウェア」は本明細書では、本明細書に記載の技術の態様を実施するように１つまたは複数のプロセッサをプログラムするために使用され得る任意のタイプのコンピュータコード（例えば、アプリケーションソフトウェア、ファームウェア、マイクロコードまたは任意の他の形式のコンピュータ命令）を参照するために一般的意味で使用される。コンピュータ手段または資源は特に、場合によりピアツーピア技術に基づき分散され得る（クラウドコンピューティング）。ソフトウェアコードは、単一コンピュータデバイス内に設けられるかまたは複数のコンピュータデバイス間に分散される（例えば、デバイスの環境内で恐らくアクセス可能なように）かにかかわらず任意の適切なプロセッサ（例えば、マイクロプロセッサ）またはプロセッサコアまたは一組のプロセッサ上で実行され得る。プログラマブルデバイスが本発明による方法を実施できるようにする各プログラムの実行可能コードは、例えばハードディスクまたは読み取り専用メモリ内に格納され得る。通常、プログラムまたはプログラム群は実行される前にデバイスの格納手段のうちの１つにロードされることができるようになる。中央処理装置は、ハードディスク内または読み取り専用メモリ内または他の上記記憶要素内に格納された本発明によるプログラムまたはプログラム群のソフトウェアコードの命令またはその一部の実行を制御および指示し得る。
【００６１】
本発明は、有用データビットレートの増加可能性のために無線リンク上で送信されるシグナリングデータを節約する利点を有する。
【００６２】
特に、本発明がＩＰｖ６プロトコルに適用される場合、２つのネットワークヘッダの削除により与えられる増加は５６から６４オクテット、いくつかのケースでは８０オクテットまでと様々である。
【００６３】
本発明に関連する別の利点は、無線リンク上で送信された各パケットのヘッダから予測可能フィールドを削除することで、伝播チャネルに関連する送信エラーによるこれらのフィールドへの影響を回避できるようにする。
【符号の説明】
【００６４】
１０１  通信装置
１０２  ローカルエリアネットワーク
１０３  アクセスゲートウェイ
１０４  アクセスゲートウェイ
１０５  アクセスゲートウェイ
１０６  ホームエージェント
１０７  ホームエージェント
１０８  遠隔端末
ＡＰ  アプリケーション層
ＩＰ  ネットワーク層
ＬＤ  データリンク層
Ｐ  搬送体
Ｐ１０  データパケット
Ｐ１１  ネットワークパケット
Ｐ１２  新しいパケット
Ｐ６０  ネットワークパケット
Ｐ６１  ネットワークパケット
Ｐ８０  アプリケーションパケット
ＰＨＹ  物理層
Ｒ  ネットワーク
【図１】
2016100894.tif 000003
【図２】
2016100894.tif 000004
【図３】
2016100894.tif 000005
【外国語明細書】
2016100894000001.pdf